(57)【要約】【課題】無段変速装置の変速比が連続的に変化する状態を表すだけでなく、作業車に適した情報表示を可能にする。【解決手段】エンジン３からの走行用の動力を無段階に変速する無段変速装置９、変速比設定手段Ｇにより設定された無段変速装置の変速比を検出する変速比検出手段Ｈ、車速に関する情報を表示する表示手段６７、及び、この表示手段の作動を制御する表示制御手段２７Ｅを備え、エンジン３の定格回転数及び変速比検出手段Ｈの出力に基づいてエンジン回転数が定格回転数に達するときに得られる定格車速を演算する演算手段Ｄを備え、演算手段Ｄが出力する定格車速を無段変速装置９の変速段として単位のない状態で文字表示する無段変速用の変速段表示部６７Ｂを表示手段６７に備えてある。【選択図】図４
2011149495.tif 000002
【特許請求の範囲】
【請求項１】
エンジンからの走行用の動力を無段階に変速する無段変速装置、変速比設定手段により設定された前記無段変速装置の変速比を検出する変速比検出手段、車速に関する情報を表示する表示手段、及び、この表示手段の作動を制御する表示制御手段を備え、
前記エンジンの定格回転数及び前記変速比検出手段の出力に基づいてエンジン回転数が定格回転数に達するときに得られる定格車速を演算する演算手段を備え、
前記演算手段が出力する前記定格車速を前記無段変速装置の変速段として単位のない状態で文字表示する無段変速用の変速段表示部を前記表示手段に備えてある作業車の情報表示構造。
【請求項２】
前記走行用の動力を有段階に変速する有段変速装置、及び、前記有段変速装置の変速段を検出する変速段検出手段を備え、
前記演算手段が、前記変速段検出手段の出力から読み取った前記有段変速装置の変速比を加味して前記定格車速を演算するように構成してある請求項１に記載の作業車の情報表示構造。
【請求項３】
前記変速段検出手段が出力する前記有段変速装置の変速段を表示する有段変速用の変速段表示部を、前記表示手段における前記無段変速用の変速段表示部に隣接する位置に備えてある請求項２に記載の作業車の情報表示構造。
【請求項４】
エンジン回転数設定手段により設定された前記エンジンの設定回転数を検出する設定回転数検出手段を備え、
前記演算手段が、前記エンジンの定格回転数を前記設定回転数検出手段の出力に置き換えて、エンジン回転数が設定回転数に達するときに得られる設定車速を演算するように構成し、
前記演算手段が出力する前記設定車速を文字表示する設定車速表示部を前記表示手段に備えてある請求項１〜３のいずれか一つに記載の作業車の情報表示構造。
【請求項５】
車速が変わる操作具の操作を検出する変速操作検出手段を備え、
前記表示制御手段が、前記変速操作検出手段の出力に基づいて前記操作具の操作を検知した場合に前記設定車速を前記設定車速表示部により表示し、前記操作具の操作を検知しなくなってから設定時間の経過後に前記設定車速表示部による前記設定車速の表示を終了するように構成してある請求項４に記載の作業車の情報表示構造。
【請求項６】
車速演算用の回転数を検出する回転数検出手段を備え、
前記演算手段が、前記回転数検出手段の出力に基づいて車速を演算するように構成し、
前記演算手段が出力する車速を文字表示する車速表示部を、前記表示手段における前記無段変速用の変速段表示部から離れた位置に備えてある請求項１〜５のいずれか一つに記載の作業車の情報表示構造。
【請求項７】
前記無段変速装置として複数段に変速可能に構成した可変容量モータを備えた静油圧式無段変速装置を採用し、かつ、前記可変容量モータの変速段を検出するモータ変速段検出手段を備え、
前記モータ変速段検出手段が出力する前記可変容量モータの変速段を表示するモータ変速段表示部を前記表示手段に備えてある請求項１〜６のいずれか一つに記載の作業車の情報表示構造。
【発明の詳細な説明】
【技術分野】
【０００１】
本発明は、無段変速装置を備えた作業車の情報表示構造に関する。
【背景技術】
【０００２】
無段変速装置を備えた車両においては、無段変速装置の変速比を複数の変速段に区分し、区分した変速段の間で無段変速装置の変速比を段階的に変化させる場合には、区分した変速段の数量に対応する整数の値、例えば、無段変速装置の変速比を７段に区分した場合には、「１」〜「７」の値を無段変速装置の変速段として表示し、又、無段変速装置の変速比を連続的に変化させる場合には、段階的に変化させる場合のように整数だけを表示するのではなく、「１」〜「７」の値の小数まで表示することで、無段変速装置の変速比が連続的に変化する状態を表すことが考えられていた（例えば特許文献１参照）。
【先行技術文献】
【特許文献】
【０００３】
【特許文献１】特開２００６−７０９４３号公報
【発明の概要】
【発明が解決しようとする課題】
【０００４】
上記の構成は、無段変速装置の変速比を区分した変速段の数量に対応する整数の値を基にして小数の位まで表示するだけのものであることから、作業車に採用するには意味付けに乏しく、更なる創意工夫を凝らす必要があった。
【０００５】
本発明の目的は、無段変速装置の変速比が連続的に変化する状態を表すだけでなく、作業車に適した情報表示を可能にすることにある。
【課題を解決するための手段】
【０００６】
本発明の第１の課題解決手段は、
エンジンからの走行用の動力を無段階に変速する無段変速装置、変速比設定手段により設定された前記無段変速装置の変速比を検出する変速比検出手段、車速に関する情報を表示する表示手段、及び、この表示手段の作動を制御する表示制御手段を備え、
前記エンジンの定格回転数及び前記変速比検出手段の出力に基づいてエンジン回転数が定格回転数に達するときに得られる定格車速を演算する演算手段を備え、
前記演算手段が出力する前記定格車速を前記無段変速装置の変速段として単位のない状態で文字表示する無段変速用の変速段表示部を前記表示手段に備えてある。
【０００７】
この課題解決手段によると、変速比設定手段により無段変速装置の変速比を変更すると、無段変速用の変速段表示部に表示される無段変速装置の変速段が連続的に変化する。つまり、無段変速装置の変速比が連続的に変化する状態を明確に表示することができる。そして、このように無段変速装置の変速比が連続的に変化することにより、作業条件に応じた無段変速装置の緻密な変速比の設定が行い易くなる。
【０００８】
又、無段変速用の変速段表示部で表示される無段変速装置の変速段は、変速比設定手段により設定した無段変速装置の変速比において、エンジンの出力回転数が定格回転数に達したときに得られる定格回転時の車速、言い換えると、アクセル操作を最大にしたときに得られる最高速度であることから、変速段ごとの最高速度を記した車速表を用いることなく、変速比設定手段により設定した変速段での最高速度を容易に把握することができ、よって、走行中や停止中にかかわらず作業条件に応じた車速設定を容易に行うことができる。
【０００９】
従って、変速比設定手段による変速段の変更に応じて無段変速装置の変速比が連続的に変化する状態を表すことができるだけでなく、作業条件に応じた車速設定を行い易くすることができる作業車に適した情報表示を可能にすることができ、作業性の向上を図ることができる。
【００１０】
本発明の第２の課題解決手段は、上記第１の課題解決手段において、
前記走行用の動力を有段階に変速する有段変速装置、及び、前記有段変速装置の変速段を検出する変速段検出手段を備え、
前記演算手段が、前記変速段検出手段の出力から読み取った前記有段変速装置の変速比を加味して前記定格車速を演算するように構成してある。
【００１１】
この課題解決手段によると、有段変速装置の変速段が変更されると、それに応じて演算手段の演算結果が大きく変化することになり、これにより、無段変速用の変速段表示部に表示される無段変速装置の変速段の表示レンジが、有段変速装置の変速段に対応した表示レンジに自動的に切り換わることになる。つまり、有段変速装置の各変速段に対応した適切な表示レンジで無段変速装置の変速段を表示することができ、有段変速装置の変速段の切り換えを含めた作業条件に応じた車速設定が行い易くなる。
【００１２】
従って、無段変速装置と有段変速装置を備えた作業車に適した情報表示を可能にすることができる。
【００１３】
本発明の第３の課題解決手段は、上記第２の課題解決手段において、
前記変速段検出手段が出力する前記有段変速装置の変速段を表示する有段変速用の変速段表示部を、前記表示手段における前記無段変速用の変速段表示部に隣接する位置に備えてある。
【００１４】
この課題解決手段によると、無段変速装置の変速段と有段変速装置の変速段とが隣接して表示されることから、無段変速装置の変速段と有段変速装置の変速段との関連性が理解し易くなる。
【００１５】
従って、無段変速装置と有段変速装置を備えた作業車に更に適した情報表示を可能にすることができる。
【００１６】
本発明の第４の課題解決手段は、上記第１〜３の課題解決手段のいずれか一つにおいて、
エンジン回転数設定手段により設定された前記エンジンの設定回転数を検出する設定回転数検出手段を備え、
前記演算手段が、前記エンジンの定格回転数を前記設定回転数検出手段の出力に置き換えて、エンジン回転数が設定回転数に達するときに得られる設定車速を演算するように構成し、
前記演算手段が出力する前記設定車速を文字表示する設定車速表示部を前記表示手段に備えてある。
【００１７】
この課題解決手段によると、エンジン回転数設定手段によるエンジンの設定回転数の変更や変速比設定手段による無段変速装置の変速比の変更などを行うと、それらの変更に応じて設定車速表示部に表示される設定車速が連続的に変化することから、散布装置のように推奨する車速が設定されている作業装置を連結して作業を行う場合や任意のエンジン回転数及び車速で作業を行う場合などにおける車速設定を、走行中や停止中にかかわらず簡単に素早く行うことができる。
【００１８】
従って、作業性の向上をより効果的に図ることができる作業車に適した情報表示を可能にすることができる。
【００１９】
本発明の第５の課題解決手段は、上記第４の課題解決手段において、
車速が変わる操作具の操作を検出する変速操作検出手段を備え、
前記表示制御手段が、前記変速操作検出手段の出力に基づいて前記操作具の操作を検知した場合に前記設定車速を前記設定車速表示部により表示し、前記操作具の操作を検知しなくなってから設定時間の経過後に前記設定車速表示部による前記設定車速の表示を終了するように構成してある。
【００２０】
この課題解決手段によると、設定車速表示部での表示は、車速が変わる操作具の操作を検知している間と、操作具の操作を検知しなくなってから設定時間の間だけ行われる割り込み表示となることから、表示手段に常時表示される情報量を少なくすることができ、表示情報を理解し易くすることができる。特に、エンジン回転数設定手段によりエンジンの設定回転数を定格回転数に設定することにより、無段変速用の変速段表示部に表示される無段変速装置の変速段と設定車速表示部に表示される設定車速とが同じ値になったとしても、それらを容易に見分けることができる。
【００２１】
従って、表示情報の視認性を向上させることができる。
【００２２】
本発明の第６の課題解決手段は、上記第１〜５の課題解決手段のいずれか一つにおいて、
車速演算用の回転数を検出する回転数検出手段を備え、
前記演算手段が、前記回転数検出手段の出力に基づいて車速を演算するように構成し、
前記演算手段が出力する車速を文字表示する車速表示部を、前記表示手段における前記無段変速用の変速段表示部から離れた位置に備えてある。
【００２３】
この課題解決手段によると、車速を車速表示部に表示するようにしながらも、アクセル操作を最大にすることで無段変速用の変速段表示部に表示される無段変速装置の変速段と車速表示部に表示される車速とが同じ値になったとしても、それらを容易に見分けることができる。
【００２４】
従って、表示情報の視認性を向上させることができる。
【００２５】
本発明の第７の課題解決手段は、上記第１〜６の課題解決手段のいずれか一つにおいて、
前記無段変速装置として複数段に変速可能に構成した可変容量モータを備えた静油圧式無段変速装置を採用し、かつ、前記可変容量モータの変速段を検出するモータ変速段検出手段を備え、
前記モータ変速段検出手段が出力する前記可変容量モータの変速段を表示するモータ変速段表示部を前記表示手段に備えてある。
【００２６】
この課題解決手段によると、可変容量モータの変速段を容易に把握することができ、可変容量モータの変速段による走行フィーリングの違いなどを感じ取り易くすることができる。
【００２７】
従って、より作業車に適した情報表示を可能にすることができる。
【図面の簡単な説明】
【００２８】
【図１】トラクタの全体側面図である。
【図２】トラクタの全体平面図である。
【図３】トラクタの伝動構造を示す概略平面図である。
【図４】制御構成を示すブロック図である。
【図５】主変速装置（ＨＳＴ）の構成及び操作構造を示す概略図である。
【図６】車速制御のフローチャートである。
【図７】前後進切り換え制御のフローチャートである。
【図８】発進停止制御のフローチャートである。
【図９】制動発進停止制御のフローチャートである。
【図１０】エンジン回転数と主変速装置の変速比と車速との関係を示す図である。
【図１１】車速設定制御のフローチャートである。
【図１２】第１切り換え制御のフローチャートである。
【図１３】第２切り換え制御のフローチャートである。
【図１４】第３切り換え制御のフローチャートである。
【図１５】表示パネルの正面図である。
【図１６】液晶表示器の正面図である。
【発明を実施するための形態】
【００２９】
以下、本発明を実施するための形態の一例として、本発明に係る作業車の情報表示構造を作業車の一例であるトラクタに適用した実施形態を図面に基づいて説明する。
【００３０】
図１及び図２に示すように、トラクタは、左右一対の前輪１を操舵可能かつ駆動可能に装備し、左右一対の後輪２を駆動可能かつ独立制動可能に装備して４輪駆動形式に構成してある。トラクタの前部側にはエンジン３を搭載し、このエンジン３の後部に車体フレーム兼用のトランスミッションケース（以下、Ｔ／Ｍケースと称する）４を連結してある。トラクタの後部側には、前輪操舵用のステアリングホイール５や運転座席６などを配備して搭乗運転部７を形成し、門型の保護フレーム８を立設してある。
【００３１】
図１及び図３に示すように、このトラクタでは、エンジン３からの動力を走行用の主変速装置９に伝達し、主変速装置９による変速後の動力を走行用とし、主変速装置９を通過する非変速動力を作業用とする。走行用の動力は、走行用の副変速装置１０に伝達し、副変速装置１０による変速後に前輪駆動用と後輪駆動用とに分岐する。前輪駆動用の動力は、前輪用の伝動切換装置１１や前輪用の差動装置１２などを介して左右の前輪１に伝達する。後輪駆動用の動力は、後輪用の差動装置１３などを介して左右の後輪２に伝達する。作業用の動力は、作業用のクラッチ１４や作業用の変速装置１５などを介して動力取り出し用のＰＴＯ軸１６に伝達する。
【００３２】
つまり、このトラクタは、エンジン３から主変速装置９への伝動を断続することによって駆動輪である左右の前輪１及び左右の後輪２への伝動とＰＴＯ軸１６への伝動とを同時に断続する主クラッチを備えないクラッチレス仕様に構成してある。
【００３３】
図１及び図２に示すように、搭乗運転部７において、ステアリングホイール５の右下方には、前後揺動式で任意の操作位置に位置保持可能に構成したアクセルレバー１７を配備してある。右足元部には、踏み込み操作式で踏み込み解除位置に自動復帰するように構成したアクセルペダル１８と左右一対のブレーキペダル１９を配備してある。運転座席６の左側方には、前後揺動式で任意の操作位置に位置保持可能に構成した主変速レバー２０と、前後揺動式で低速位置と高速位置と高速移動位置の３位置に位置保持可能に構成した副変速レバー２１を配備してある。ステアリングホイール５の左下方には、前後揺動式で中立位置と前進位置と後進位置の３位置に位置保持可能に構成した前後進切り換え用のＦＲレバー２２を配備してある。左足元部には、踏み込み操作式で踏み込み解除位置に自動復帰するように構成した停止ペダル２３を配備してある。ステアリングホイール５の前下方には、車速などの情報を表示する表示パネル２４を配備してある。
【００３４】
図４に示すように、エンジン３は、その調速機（図示せず）の調速レバー２５を操作するアクセルシリンダ２６の作動により、その出力回転数をアイドリング回転数と定格回転数との間で無段階に調節することができる。アクセルシリンダ２６には電動シリンダを採用してある。アクセルシリンダ２６の作動は、電子制御ユニット（以下、ＥＣＵと称する）２７に制御プログラムとして備えたアクセル制御手段２７Ａの制御作動により制御する。
【００３５】
ＥＣＵ２７は、ＣＰＵやＥＥＰＲＯＭなどを備えたマイクロコンピュータを利用して構成してある。ＥＣＵ２７には、アクセルレバー１７の操作位置を検出するレバーセンサ２８の出力、アクセルペダル１８の操作位置を検出するペダルセンサ２９の出力、及び、調速レバー２５の操作位置を検出するレバーセンサ３０の出力を入力してある。アクセルレバー用のレバーセンサ２８、アクセルペダル用のペダルセンサ２９、及び、調速レバー用のレバーセンサ３０には、回転式のポテンショメータを採用してある。
【００３６】
アクセル制御手段２７Ａは、アクセルレバー用のレバーセンサ２８の出力、アクセルペダル用のペダルセンサ２９の出力、及び、調速レバー用のレバーセンサ３０の出力に基づいて、アクセルレバー１７の操作位置とアクセルペダル１８の操作位置とを比較し、アクセルペダル１８の操作位置がアクセルレバー１７の操作位置よりも高速側でない場合は、調速レバー２５の操作位置がアクセルレバー１７の操作位置に対応するようにアクセルシリンダ２６の作動を制御する。又、アクセルペダル１８の操作位置がアクセルレバー１７の操作位置よりも高速側である場合は、調速レバー２５の操作位置がアクセルペダル１８の操作位置に対応するようにアクセルシリンダ２６の作動を制御する。
【００３７】
図３及び図５に示すように、主変速装置９には無段変速装置の一例である静油圧式無段変速装置（以下、ＨＳＴと称する）を採用してある。ＨＳＴ９は、Ｔ／Ｍケース４に内蔵したアキシャルプランジャー型の可変容量ポンプ３１や可変容量モータ３２などにより構成してある。そして、ＨＳＴ９を通過する動力（非変速動力）を作業用として可変容量ポンプ３１のポンプ軸３１Ａから出力し、ＨＳＴ９による変速後の動力を走行用として可変容量モータ３２のモータ軸３２Ａから出力する。可変容量ポンプ３１と可変容量モータ３２は、第１油路３３と第２油路３４を介して閉回路を形成するように接続してある。この閉回路には、エンジン３からの動力で作動するチャージポンプ３５からのオイルを供給してある。
【００３８】
図４及び図５に示すように、可変容量ポンプ３１は、Ｔ／Ｍケース４の内部に備えたポンプ用の変速シリンダ３６の作動により、ポンプ斜板３１Ｂの操作角（可変容量ポンプ３１の斜板角）を無段階に変更することができる。変速シリンダ３６には、ポンプ斜板３１Ｂの操作角が零になる中立状態に変速シリンダ３６を復帰付勢する一対の圧縮バネ３７を内蔵した複動型の油圧シリンダを採用してある。変速シリンダ３６の作動は、電磁比例弁を利用して構成した前進用の変速弁３８と後進用の変速弁３９の作動により制御する。これらの変速弁３８，３９の作動は、ＥＣＵ２７に制御プログラムとして備えた車速制御手段２７Ｂの制御作動により制御する。
【００３９】
つまり、ポンプ用の変速シリンダ３６、前進用の変速弁３８、及び後進用の変速弁３９により、車速制御手段２７Ｂの制御作動に基づいて可変容量ポンプ３１のポンプ斜板３１Ｂを無段階に操作するポンプ斜板操作手段Ａを構成してある。
【００４０】
可変容量モータ３２は、Ｔ／Ｍケース４の内部に備えたモータ用の低速シリンダ４０と高速シリンダ４１の作動により、モータ斜板３２Ｂの操作角（可変容量モータ３２の斜板角）を低速用の設定角度に設定する低速段と高速用の設定角度に設定する高速段との高低２段に切り換えることができる。低速シリンダ４０と高速シリンダ４１には単動型の油圧シリンダを採用してある。低速シリンダ４０と高速シリンダ４１の作動は、パイロット操作式の切換弁を利用して構成した変速弁４２の作動により制御する。変速弁４２の作動は、電磁比例弁を利用して構成した変速操作弁４３の作動により制御する。変速操作弁４３の作動は車速制御手段２７Ｂの制御作動により制御する。
【００４１】
つまり、モータ用の低速シリンダ４０、高速シリンダ４１、変速弁４２、及び変速操作弁４３により、車速制御手段２７Ｂの制御作動に基づいて可変容量モータ３２のモータ斜板３２Ｂを高低２段に操作するモータ斜板操作手段Ｂを構成してある。
【００４２】
そして、ポンプ斜板操作手段Ａ及びモータ斜板操作手段Ｂにより主変速装置９の変速比を変更する変速比変更手段Ｃを構成してあり、主変速装置９は、車速制御手段２７Ｂの制御作動で変速比変更手段Ｃの作動を制御してポンプ斜板３１Ｂ及びモータ斜板３２Ｂの操作角を変更することにより、その変速比を無段階及び有段階に変更することが可能な電子制御式に構成してある。
【００４３】
図示は省略するが、副変速装置１０には、低速作業用の低速段と高速作業用の高速段と高速移動用の最速段の３段の変速が可能となるように構成したギア式変速装置（有段変速装置）を採用してある。副変速装置１０は、副変速レバー２１を低速位置に操作すると変速段が低速段に切り換わり、副変速レバー２１を高速位置に操作すると変速段が高速段に切り換わり、副変速レバー２１を高速移動位置に操作すると変速段が最速段に切り換わるように、副変速用の機械式連係機構を介して副変速レバー２１に連係してある。
【００４４】
ちなみに、このトラクタでは、エンジン回転数を定格回転数に設定し、主変速装置９の変速比を最速変速比（最小変速比）に設定し、副変速装置１０の変速段を低速作業用の低速段に設定したときに得られる低速作業での最大速度が５ｋｍ／ｈになり、エンジン回転数を定格回転数に設定し、主変速装置９の変速比を最速変速比に設定し、副変速装置１０の変速段を高速作業用の高速段に設定したときに得られる高速作業での最大速度が１２ｋｍ／ｈになり、エンジン回転数を定格回転数に設定し、主変速装置９の変速比を最速変速比に設定し、副変速装置１０の変速段を高速移動用の最速段に設定したときに得られる高速移動での最大速度が３０ｋｍ／ｈになるように走行伝動系を構成してある。
【００４５】
図３に示すように、Ｔ／Ｍケース４における後部側の左右両側部には、対応する後輪２を制動する多板型のサイドブレーキ４４を装備してある。左側のサイドブレーキ４４は左側のブレーキペダル１９に、右側のサイドブレーキ４４は右側のブレーキペダル１９に、それぞれ、対応するブレーキペダル１９の踏み込み操作量に応じた制動力で対応する後輪２を制動するように制動用の機械式連係機構（図示せず）を介して連係してある。
【００４６】
この構成により、例えば、ステアリングホイール５を旋回方向に回動操作する旋回走行時に、旋回内側の後輪２に対応する左右いずれかのブレーキペダル１９を単独で踏み込み操作することにより、そのときの旋回状態を、ステアリングホイール５の回動操作による通常旋回状態から、この通常旋回状態に加えて旋回内側の後輪２を制動する制動旋回状態に切り換えることができ、車体の旋回半径を小さくすることができる。又、直進走行時に、圃場耕盤の凹凸などの影響により車体の進行方向にズレが生じた場合には、ズレ方向と反対側のブレーキペダル１９を単独で踏み込み操作することにより、そのときの走行状態を、直進状態から片ブレーキ走行状態に切り換えることができ、これにより、ステアリング操作系を直進状態に維持しながら車体の進行方向を修正することができる。そして、左右のブレーキペダル１９を両踏み操作することにより、左右のサイドブレーキ４４を減速停止用のブレーキとして使用することができる。
【００４７】
図示は省略するが、左右のブレーキペダル１９には、左右のブレーキペダル１９を連結して左右のブレーキペダル１９の単独操作を阻止する連結状態と、左右のブレーキペダル１９の連結を解除して左右のブレーキペダル１９の単独操作を可能にする連結解除状態とに切り換え可能に構成した連結機構を装備してある。これにより、副変速装置１０の変速段を作業用の低速段や高速段に設定した場合には、連結機構による左右のブレーキペダル１９の連結を解除しておくことにより、作業走行時に有用な片ブレーキ走行状態や制動旋回状態への切り換えを可能にすることができる。又、副変速装置１０の変速段を高速移動用の最速段に設定した場合には、連結機構により左右のブレーキペダル１９を連結しておくことにより、高速移動時でのブレーキペダル１９の踏み損ないなどによって走行状態が片ブレーキ走行状態や制動旋回状態に切り換わる虞を未然に回避することができる。
【００４８】
図５に示すように、停止ペダル２３は、主変速装置９に備えたアンロード弁４５に走行停止用の機械式連係機構（図示せず）を介して連係してある。アンロード弁４５は、主変速装置９の第１油路３３に接続した戻り油路４６に備えてあり、停止ペダル２３が所定の踏み込み限界領域まで踏み込み操作されていない場合は、第１油路３３からのオイルの排出を阻止する遮断状態を維持し、停止ペダル２３が所定の踏み込み限界領域まで踏み込み操作されるのに連動して、第１油路３３からのオイルの排出を許容する連通状態に切り換わるように構成してある。
【００４９】
つまり、停止ペダル２３を所定の踏み込み限界領域まで踏み込み操作することにより、主変速装置９の第１油路３３からオイルを排出して可変容量ポンプ３１から可変容量モータ３２への油圧伝動を遮断することができ、車体の走行を停止又は阻止することができる。
【００５０】
その結果、左右いずれか一方のブレーキペダル１９を踏み込み操作した片ブレーキ走行状態や制動旋回状態において車体を停止させる必要が生じた場合には、停止ペダル２３を所定の踏み込み限界領域まで踏み込み操作することにより、左右のブレーキペダル１９を片踏み状態から両踏み状態に踏み換える手間を要することなく車体を迅速に停止させることができる。
【００５１】
図１及び図４に示すように、Ｔ／Ｍケース２の後部には、トラクタの後部に連結するロータリ耕耘装置や薬剤散布装置などの作業装置（図示せず）の昇降操作を可能にする左右一対のリフトアーム４７、及び、対応するリフトアーム４７を揺動駆動する左右一対のリフトシリンダ４８、などを配備してある。左右のリフトシリンダ４８には単動型の油圧シリンダを採用してある。そして、トラクタからの動力で作動するロータリ耕耘装置などの作業装置をトラクタの後部に連結する場合には、ＰＴＯ軸１６から取り出した動力を着脱式の外部伝動機構（図示せず）を介して作業装置に供給することができる。
【００５２】
図２〜４に示すように、作業用のクラッチ１４は、電磁制御弁を利用して構成したクラッチ弁４９の作動により、主変速装置９からの非変速動力を作業用の変速装置１５を介してＰＴＯ軸１６に伝動する入り状態と、その伝動を遮断する切り状態とに切り換わる。クラッチ弁４９の作動は、ＥＣＵ２７に制御プログラムとして備えた作業動力制御手段２７Ｃの制御作動により制御する。作業用のクラッチ１４には多板型の油圧クラッチを採用してある。
【００５３】
ＥＣＵ２７には、ＰＴＯ軸１６に対する伝動の入り切りを設定するＰＴＯスイッチ５０の出力、及び、リフトアーム４７の揺動角を作業装置の高さとして検出するアームセンサ５１の出力、などを入力してあり、作業動力制御手段２７Ｃは、それらの出力などに基づいてクラッチ弁４９の作動を制御する。
【００５４】
具体的には、作業動力制御手段２７Ｃは、ＰＴＯスイッチ５０の出力に基づいてＰＴＯスイッチ５０の操作位置を判別する。そして、ＰＴＯスイッチ５０の操作位置が切り位置である場合は、作業用のクラッチ１４が切り状態を維持するようにクラッチ弁４９の作動を制御する。ＰＴＯスイッチ５０の操作位置が入り位置である場合は、作業用のクラッチ１４が入り状態を維持するようにクラッチ弁４９の作動を制御する。ＰＴＯスイッチ５０の操作位置が自動位置である場合には、リフトアーム用のアームセンサ５１の出力に基づいて、リフトアーム４７の揺動角が設定角度以上の浮上側の角度領域に達している間は作業用のクラッチ１４が切り状態になり、又、リフトアーム４７の揺動角が設定角度未満の接地側の角度領域に達している間は作業用のクラッチ１４が入り状態になるように、クラッチ弁４９の作動を制御する。
【００５５】
つまり、作業装置としてＰＴＯ軸１６からの動力で作動するロータリ耕耘装置などの接地作業式の作業装置を連結している場合には、ＰＴＯスイッチ５０を自動位置に操作しておくことにより、作業装置の下降操作によりリフトアーム４７の揺動角が設定角度未満になるのに連動して作業装置を作動させることができる。又、作業装置の上昇操作によりリフトアーム４７の揺動角が設定角度以上になるのに連動して作業装置の作動を停止させることができる。
【００５６】
ＰＴＯスイッチ５０は、搭乗運転部７における運転座席６の右側方の位置に配備してある（図２参照）。ＰＴＯスイッチ５０には、３位置切り換え式で下方への押圧操作により切り位置に復帰するように構成したダイヤル型の多接点スイッチを採用してある。リフトアーム用のアームセンサ５１には回転式のポテンショメータを採用してある。
【００５７】
図示は省略するが、作業用の変速装置１５には、正逆転の切り換えと正転４段の変速が可能となるように構成したギア式の変速装置を採用してある。作業用の変速装置１５は、搭乗運転部７における運転座席６の右側方に配備した作業用の変速レバー５２（図２参照）の操作位置に対応して作動状態が切り換わるように、作業変速用の機械式連係機構を介して作業用の変速レバー５２に連係してある。作業用の変速レバー５２は、前後方向と左右方向とに揺動操作が可能な複合揺動式で位置保持可能に構成してある。
【００５８】
図４に示すように、左右のリフトシリンダ４８の作動は、電磁制御弁を利用して構成した昇降弁５３の作動により制御する。昇降弁５３の作動は、ＥＣＵ２７に制御プログラムとして備えた昇降制御手段２７Ｄの制御作動により制御する。
【００５９】
ＥＣＵ２７には、高さ設定レバー５４の操作位置を作業装置の制御目標高さとして検出するレバーセンサ５５の出力、昇降指令レバー５６の中立位置から上昇位置又は下降位置への操作を検出するレバーセンサ５７の出力、及び、基準位置からの回動操作量を作業装置の制御目標上限位置として出力する上限設定器５８の出力、などを入力してある。昇降制御手段２７Ｄは、それらの出力などに基づいて、作業装置を任意の高さ位置に位置させる高さ制御や、この高さ制御に優先して作業装置を設定上限位置まで上昇させる上昇制御、などを行う。
【００６０】
高さ制御では、高さ設定レバー用のレバーセンサ５５の出力とリフトアーム用のアームセンサ５１の出力に基づいて、リフトアーム４７の揺動角が高さ設定レバー５４の操作位置に対応するように昇降弁５３の作動を制御する。
【００６１】
上昇制御は、昇降指令レバー５６の上昇位置への操作をレバーセンサ５７が検出した場合に高さ制御に優先して行う。上昇制御では、上限設定器５８の出力とリフトアーム用のアームセンサ５１の出力に基づいて、リフトアーム４７の揺動角が上限設定器５８の基準位置からの回動操作量に対応するように昇降弁５３の作動を制御する。そして、昇降指令レバー５６の下降位置への操作をレバーセンサ５７が検出した場合に、上昇制御の優先を解除して高さ制御を行う。
【００６２】
つまり、高さ設定レバー５４を操作することにより、作業装置の高さを高さ設定レバー５４の操作位置に応じた任意の高さに変更することができる。又、昇降指令レバー５６を上昇位置に揺動操作することにより、作業装置の高さを上限設定器５８により設定した上限位置に変更することができる。そして、昇降指令レバー５６を下降位置に揺動操作することにより、作業装置の高さを高さ設定レバー５４の操作位置に応じた任意の高さに戻すことができる。
【００６３】
図１及び図２に示すように、高さ設定レバー５４は、搭乗運転部７における運転座席６の右側方に配備してあり、前後揺動式で位置保持可能に構成してある。昇降指令レバー５６は、搭乗運転部７におけるステアリングホイール５の右下方に配備してあり、上下揺動式で中立復帰型に構成してある。上限設定器５８は、搭乗運転部７における運転座席６の右側方に配備してあり、ダイヤル操作式に構成してある。高さ設定レバー用のレバーセンサ５５と上限設定器５８には回転式のポテンショメータを採用してある。昇降指令レバー用のレバーセンサ５７にはスイッチを採用してある。
【００６４】
ところで、主変速装置９を構成するＨＳＴ９は、負荷が大きくなるほどオイルのリークによる油圧のロスが大きくなって動力伝達効率が低下することが知られている。そのため、例えば、主変速装置９におけるポンプ斜板３１Ｂの操作角を検出する斜板角センサを設け、車速制御手段２７Ｂが、主変速レバー２０の操作位置に基づいて設定した制御目標操作角に斜板角センサの出力が一致する（制御目標操作角の不感帯幅内に斜板角センサの操作角が収まる）ようにポンプ斜板操作手段Ａの作動を制御する斜板フィードバック制御を行うように構成すると、この斜板フィードバック制御によって制御目標操作角にポンプ斜板３１Ｂの操作角を一致させることはできるが、負荷の変動に起因した主変速装置９での動力伝達効率の変動分を補うことはできないことから、この動力伝達効率の変動によって主変速装置９の変速比が安定し難くなり、車速がエンジン回転数に比例する関係を精度良く維持することが難しくなる。
【００６５】
これにより、ロータリ耕耘作業のように車速と作業装置の作動速度とをそれらがエンジン回転数に比例する一定の関係に精度良く維持することが望ましい作業を行う場合には、その関係を精度良く維持することができないことで、作業装置の作動速度に対する適正車速と車速とに差が生じ易くなって作業装置による作業跡に斑が生じ易くなることから、作業装置による作業跡を精度良く均一にすることが難しくなる。
【００６６】
そこで、このトラクタの車速を制御する車速制御において、車速制御手段２７Ｂが、主変速レバー２０の操作位置などに基づいて設定した制御目標車速に車速が一致する（制御目標車速の不感帯幅内に車速が収まる）ように変速比変更手段Ｃの作動を制御する車速フィードバック制御を行うように構成してある。
【００６７】
その構成について詳述すると、図３、図４及び図６に示すように、ＥＣＵ２７には、主変速レバー２０の操作位置を検出するレバーセンサ５９の出力、副変速レバー２１の操作位置を検出するレバーセンサ６０の出力、ＦＲレバー２２の操作位置を検出するレバーセンサ６１の出力、エンジン回転数を検出するエンジンセンサ６２の出力、主変速装置９の出力回転数を制御上の車速として検出する回転数検出手段の一例である車速センサ６３の出力、停止ペダル２３の所定の踏み込み限界領域への到達を検出するペダルセンサ６４の出力、及び、左右のブレーキペダル１９の踏み込み解除位置からの両踏み操作量を検出するペダルセンサ６５の出力を入力してある。又、ＥＣＵ２７には、エンジン回転数と主変速装置９の変速比と車速（主変速装置９の出力回転数）との関係を示す車速設定データを備えてある。
【００６８】
主変速レバー用のレバーセンサ５９とブレーキペダル用のペダルセンサ６５には回転式のポテンショメータを採用してある。副変速レバー用のレバーセンサ６０とＦＲレバー用のレバーセンサ６１と停止ペダル用のペダルセンサ６４にはスイッチを採用してある。エンジンセンサ６２と車速センサ６３には電磁ピックアップ式の回転センサを採用してある。車速設定データにはマップデータや関係式などを採用することができる。
【００６９】
そして、車速フィードバック制御において、車速制御手段２７Ｂは、先ず、主変速レバー用のレバーセンサ５９の出力から主変速レバー２０により設定された主変速装置９の変速比（以下、設定変速比と称する）、副変速レバー用のレバーセンサ６０の出力から副変速レバー２１により設定された副変速装置１０の変速段（以下、設定変速段と称する）、エンジンセンサ６２の出力、及び、車速設定データに基づいて行われる車速設定制御により決定された車速センサ６３の出力に対する制御目標車速（制御目標回転数）を読み込み〔ステップ＃１〕、ＦＲレバー用のレバーセンサ６１の出力から制御目標車速が前進用か後進用かを読み取る〔ステップ＃２〕。次に、車速センサ６３の出力を読み込み〔ステップ＃３〕、前進用又は後進用の制御目標車速と車速センサ６３の出力とを比較する〔ステップ＃４，＃５〕。そして、前進用又は後進用の制御目標車速に車速センサ６３の出力が一致している（前進用又は後進用の制御目標車速の不感帯幅内に車速センサ６３が出力する制御上の車速が収まっている）場合は、現在の車速が維持されるように前進用の変速弁３８又は後進用の変速弁３９及び変速操作弁４３への通電を制御する定速制御を行う〔ステップ＃６〕。前進用又は後進用の制御目標車速よりも車速センサ６３の出力が小さい場合は、前進用又は後進用の制御目標車速に車速センサ６３の出力が一致するように前進用の変速弁３８又は後進用の変速弁３９及び変速操作弁４３への通電を制御して増速させる増速制御を行う〔ステップ＃７〕。前進用又は後進用の制御目標車速よりも車速センサ６３の出力が大きい場合は、前進用又は後進用の制御目標車速に車速センサ６３の出力が一致するように前進用の変速弁３８又は後進用の変速弁３９及び変速操作弁４３への通電を制御して減速させる減速制御を行う〔ステップ＃８〕。
【００７０】
これにより、負荷の増減に伴って変動する油圧のロスに起因した主変速装置（ＨＳＴ）９での動力伝達効率の変動分のみを車速制御手段２７Ｂの制御作動で補うことができ、主変速装置９による変速を精度良く行うことができる。その結果、ロータリ耕耘作業のように車速と作業装置の作動速度とをそれらがエンジン回転数に比例する一定の関係に精度良く維持することが望ましい作業を行う場合には、その関係を主変速装置９での動力伝達効率の変動にかかわらず精度良く維持することができ、作業装置の作動速度に対する適正車速と車速とに差が生じ難くなることから、作業装置による作業跡を精度良く均一に仕上げることができる。
【００７１】
図４及び図７に示すように、車速制御手段２７Ｂは、ＦＲレバー用のレバーセンサ６１の出力からＦＲレバー２２の操作を検知した場合は、ＦＲレバー２２の操作に基づく前後進切り換え制御を行うように構成してある。
【００７２】
図７のフローチャートに基づいて前後進切り換え制御について説明すると、車速制御手段２７Ｂは、車速制御手段２７Ｂは、ＦＲレバー用のレバーセンサ６１の出力からＦＲレバー２２の操作を検知すると、操作後のＦＲレバー２２の操作位置を判別する〔ステップ＃１，＃２〕。そして、操作後のＦＲレバー２２の操作位置が中立位置である場合は前進用の変速弁３８及び後進用の変速弁３９への通電を停止する〔ステップ＃３〕。これにより、ポンプ斜板３１Ｂの操作角を零にして主変速装置９を中立にすることができ、車速設定制御により決定された制御目標車速にかかわらず車速センサ６３の出力を零にすることができる。操作後のＦＲレバー２２の操作位置が前進位置又は後進位置である場合は、このときの前進位置又は後進位置への操作で所定の走行条件が成立したか否かを判別し〔ステップ＃４，＃５〕、所定の走行条件が成立した場合は車速フィードバック制御に移行する〔ステップ＃６〕。所定の走行条件が成立しなかった場合は前進用の変速弁３８及び後進用の変速弁３９への通電停止を継続する〔ステップ＃７〕。
【００７３】
尚、所定の走行条件が成立している状態とは、ＦＲレバー２２の操作位置が前進位置又は後進位置であることをＦＲレバー用のレバーセンサ６１が検出し、停止ペダル２３の所定の踏み込み限界領域への到達を停止ペダル用のペダルセンサ６４が検出しておらず、左右のブレーキペダル１９の両踏み込み操作位置が制動解除領域内であることをブレーキペダル用のペダルセンサ６５が検出している状態である。
【００７４】
図４及び図８に示すように、車速制御手段２７Ｂは、停止ペダル用のペダルセンサ６４の出力から停止ペダル２３の操作を検知した場合は、停止ペダル２３の操作に基づく発進停止制御を行うように構成してある。
【００７５】
図８のフローチャートに基づいて発進停止制御について説明すると、車速制御手段２７Ｂは、停止ペダル用のペダルセンサ６４の出力から停止ペダル２３の操作を検知すると、操作後の停止ペダル２３の操作位置を判別する〔ステップ＃１〕。そして、操作後の停止ペダル２３の操作位置が所定の踏み込み限界領域内である場合は前進用の変速弁３８及び後進用の変速弁３９への通電を停止する〔ステップ＃２〕。これにより、ポンプ斜板３１Ｂの操作角を零にして主変速装置９を中立にすることができ、車速設定制御により決定された制御目標車速にかかわらず車速センサ６３の出力を零にすることができる。操作後の停止ペダル２３の操作位置が踏み込み限界領域外である場合は、この操作によって所定の走行条件が成立したか否かを判別する〔ステップ＃３〕。所定の走行条件が成立した場合は、停止ペダル２３の踏み込み限界領域外への操作に連動してアンロード弁４５が連通状態から遮断状態に切り換わって主変速装置９の回路圧が設定値まで上昇するのに要する設定時間が経過したか否かを判別する〔ステップ＃４〕。そして、設定時間の経過とともに車速フィードバック制御に移行する〔ステップ＃５〕。ステップ＃３において所定の走行条件が成立しなかった場合は前進用の変速弁３８及び後進用の変速弁３９への通電停止を継続する〔ステップ＃６〕。
【００７６】
尚、この発進停止制御での所定の走行条件が成立している状態とは前述した前後進切り換え制御での所定の走行条件が成立している状態と同じ状態である。
【００７７】
図４及び図９に示すように、車速制御手段２７Ｂは、ブレーキペダル用のペダルセンサ６５の出力から左右のブレーキペダル１９の両踏み操作を検知した場合は、左右のブレーキペダル１９の両踏み操作に基づく制動発進停止制御を行うように構成してある。
【００７８】
図９のフローチャートに基づいて制動発進停止制御について説明すると、車速制御手段２７Ｂは、ブレーキペダル用のペダルセンサ６５の出力から左右のブレーキペダル１９の両踏み操作を検知すると、先ず、所定の走行条件が成立しているか否かを判別する〔ステップ＃１〕。そして、所定の走行条件が成立している場合は、ブレーキペダル用のペダルセンサ６５の出力から左右のブレーキペダル１９の両踏み操作位置を判別し〔ステップ＃２，＃３〕、左右のブレーキペダル１９の両踏み操作位置が制動解除領域内である場合は車速フィードバック制御を継続する〔ステップ＃４〕。左右のブレーキペダル１９の両踏み操作位置が制動解除領域に続く制動変速領域内である場合は、車速設定制御により決定された制御目標車速を読み込み〔ステップ＃５〕、ＦＲレバー用のレバーセンサ６１の出力から制御目標車速が前進用か後進用かを読み取るとともに〔ステップ＃６〕、制動変速領域内での左右のブレーキペダル１９の両踏み操作量が大きくなるほど車速センサ６３の出力が前進用又は後進用の制御目標車速から零に近づくように、前進用の変速弁３８又は後進用の変速弁３９への通電を制御してポンプ斜板３１Ｂの操作角を変更する制動変速制御を行う〔ステップ＃７〕。左右のブレーキペダル１９の両踏み操作位置が制動変速領域に続く停止制動領域内である場合は前進用の変速弁３８及び後進用の変速弁３９への通電を停止する〔ステップ＃８〕。これにより、ポンプ斜板３１Ｂの操作角を零にして主変速装置９を中立にすることができ、車速設定制御により決定された制御目標車速にかかわらず車速センサ６３の出力を零にすることができる。ステップ＃１において所定の走行条件が成立していない場合は、左右のブレーキペダル１９の停止制動領域から制動変速領域への両踏み操作を検知したか否かを判別する〔ステップ＃９〕。そして、左右のブレーキペダル１９の停止制動領域から制動変速領域への両踏み操作を検知した場合は、この操作によって所定の走行条件が成立したか否かを判別し〔ステップ＃１０〕、所定の走行条件が成立した場合はステップ＃２に移行する。これにより、左右のブレーキペダル１９の両踏み操作位置が制動変速領域内である間は制動変速制御を行い、左右のブレーキペダル１９が制動解除領域内に復帰するのに伴って車速フィードバック制御を行うことになる。ステップ＃９において左右のブレーキペダル１９の停止制動領域から制動変速領域への両踏み操作を検知していない場合、及び、ステップ＃１０において所定の走行条件が成立しなかった場合は、前進用の変速弁３８及び後進用の変速弁３９への通電停止を継続する〔ステップ＃１１〕。
【００７９】
尚、この制動発進停止制御での所定の走行条件が成立している状態とは前述した前後進切り換え制御及び発進停止制御での所定の走行条件が成立している状態と同じ状態である。
【００８０】
図示は省略するが、作業動力制御手段２７Ｃは、停止ペダル用のペダルセンサ６４の出力に基づいて停止ペダル２３の所定の踏み込み限界領域への操作を検知した場合は、ＰＴＯスイッチ５０の操作位置やリフトアーム用のアームセンサ５１の出力などに基づいて作業用のクラッチ１４の状態を判別する。そして、作業用のクラッチ１４が切り状態であればこの状態を維持し、作業用のクラッチ１４が入り状態であれば、停止ペダル２３の踏み込み操作に基づくアンロード弁４５の連通状態への切り換えなどによって車体が走行停止した後に作業装置が作動停止するように、停止ペダル２３の所定の踏み込み限界領域への操作を検知してから設定時間の経過後に作業用のクラッチ１４を切り状態に切り換える。
【００８１】
又、停止ペダル２３の踏み込み限界領域への操作を検知しなくなるとともに所定の走行条件の成立を検知した場合は、ＰＴＯスイッチ５０の操作位置やリフトアーム用のアームセンサ５１の出力などから作業用のクラッチ１４を切り状態から入り状態に切り換えるための条件（以下、作業開始条件と称する）が成立しているか否かを判別する。そして、作業開始条件が成立していれば作業用のクラッチ１４を入り状態に切り換え、作業開始条件が成立していなければ作業用のクラッチ１４を切り状態に維持する。
【００８２】
作業動力制御手段２７Ｃは、ブレーキペダル用のペダルセンサ６５の出力に基づいて、停止制動領域の踏み込み限界側に備えた作業停止領域への左右のブレーキペダル１９の移動を検知した場合は、ＰＴＯスイッチ５０の操作位置やリフトアーム用のアームセンサ５１の出力などに基づいて作業用のクラッチ１４の状態を判別する。そして、作業用のクラッチ１４が切り状態であればこの状態を維持し、作業用のクラッチ１４が入り状態であれば切り状態に切り換える。
【００８３】
又、左右のブレーキペダル１９の作業停止領域から作業停止領域外の停止制動領域への移動を検知した場合は、その後の左右のブレーキペダル１９の制動解除領域への移動によって所定の走行条件が成立する状態か否かを判別し、所定の走行条件が成立する状態であれば作業開始条件が成立しているか否かを判別し、作業開始条件が成立していれば作業用のクラッチ１４を入り状態に切り換え、作業開始条件が成立していなければ作業用のクラッチ１４を切り状態に維持する。
【００８４】
上述した車速制御手段２７Ｂ及び作業動力制御手段２７Ｃの制御作動により、主クラッチを備えないクラッチレス仕様に構成しながらも、停止ペダル２３の踏み込み操作又は左右のブレーキペダル１９の両踏み操作を行うことにより、駆動輪である左右の前輪１と左右の後輪２への伝動とともにＰＴＯ軸１６への伝動を断続することができる。そして、停止ペダル２３の踏み込み操作又は左右のブレーキペダル１９の両踏み操作で車体の走行と作業装置の作動を制御する場合には、車体の走行停止後に作業装置が作動を停止し、又、作業装置の作動開始後に車体が走行を開始するようになる。これにより、車体の停止位置や発進位置において適切な作業を確実に行うことができ、特に、作業装置としてロータリ耕耘装置を装備する場合には、車体の停止位置や発進位置における残耕などの発生を防止することができる。
【００８５】
図示は省略するが、ブレーキペダル用のペダルセンサ６５は、左右のブレーキペダル１９に両踏み操作量検出用の機械式連係機構（図示せず）を介して連係してある。両踏み操作量検出用の機械式連係機構は、左右のブレーキペダル１９の両踏み操作に連動してペダル踏み込み方向に追従変位するようにバネ付勢した移動部材を備え、左右いずれか一方のブレーキペダル１９を片踏み操作した場合には、その一方のブレーキペダル１９に対する移動部材の追従変位を移動部材と他方のブレーキペダル１９との接当により阻止し、左右のブレーキペダル１９を両踏み操作した場合にのみ、移動部材が左右のブレーキペダル１９に対して追従変位して、そのときの左右のブレーキペダル１９の両踏み操作量をブレーキペダル用のペダルセンサ６５に伝えるように構成してある。
【００８６】
図１０に示すように、ＥＣＵ２７に備えた車速設定データには、作業走行用の第１車速設定データ〔図１０の（Ａ）参照〕と高速移動用の第２車速設定データ〔図１０の（Ｂ）参照〕とがある。各車速設定データでは、主変速レバー２０の最速位置に対応する主変速装置９の最速変速比を基準にしてエンジン回転数と主変速装置９の変速比と車速（車速センサ６３の出力）との関係を設定してある。
【００８７】
各車速設定データについて詳述すると、基本的には第１及び第２車速設定データとも共通して次のように設定してある。エンジン回転数がアイドリング回転数に設定した第１設定回転数Ｎ１である場合は、主変速装置９の変速比が低速側の大きい変速比に設定した第１変速比になって車速が予め設定した低い速度になるように設定してある。エンジン回転数が第１設定回転数Ｎ１よりも高速側に設定した第２設定回転数Ｎ２以上の高回転数領域ＮＨでの回転数である場合は、主変速装置９の変速比が最速変速比に維持されて車速がエンジン回転数に比例するように設定してある。エンジン回転数が第１設定回転数Ｎ１と第２設定回転数Ｎ２との間の中回転数領域ＮＭでの回転数である場合は、そのときのエンジン回転数が低いほど主変速装置９の変速比が第１変速比と最速変速比との間における低速側の大きい変速比に変更されて車速がエンジン回転数と主変速装置９の変速比とに比例する（車速の変化率が高回転数領域ＮＨでの変化率よりも大きい変化率で一定の変化率になる）ように設定してある。エンジン回転数が第１設定回転数Ｎ１以下の低回転数領域ＮＬでの回転数である場合は、エンジン回転数が零よりも大きい回転数であれば主変速装置９が中立にならず車速が零にならないように（車速の変化率が高回転数領域ＮＨでの変化率よりも小さい変化率で一定になるように）エンジン回転数に応じて主変速装置９の変速比が変化するように設定してある。
【００８８】
具体的には、第１車速設定データでは、第１設定回転数Ｎ１を前述したようにアイドリング回転数に設定してあり、第２設定回転数Ｎ２はエンジン３が最大トルクを発揮する回転数に設定してある。そして、エンジン回転数と主変速装置９の変速比と車速との関係を、高回転数領域ＮＨでは、車速が主変速装置９の最速変速比でエンジン回転数に対応するように、車速がエンジン回転数に比例する関係に設定してある。中回転数領域ＮＭでは、エンジン回転数が第１設定回転数（アイドリング回転数）Ｎ１に達したときに車速が極低速の設定速度になり、かつ、エンジン回転数が最大トルクを発揮する第２設定回転数Ｎ２に達したときに、車速が主変速装置９の最速変速比でエンジン回転数に対応するように、車速がエンジン回転数と主変速装置９の変速比とに比例する関係に設定してある。低回転数領域ＮＬでは、車速が極低速の設定速度で一定になるように、車速がエンジン回転数に反比例する主変速装置９の変速比でエンジン回転数に対応する関係に設定してある〔図１０の（Ａ）参照〕。
【００８９】
一方、第２車速設定データでは、第１設定回転数Ｎ１を前述したようにアイドリング回転数に設定してあり、第２設定回転数Ｎ２はエンジン３の定格回転数よりも少し低い回転数に設定してある。そして、エンジン回転数と主変速装置９の変速比と車速との関係を、高回転数領域ＮＨでは、車速が主変速装置９の最速変速比でエンジン回転数に対応するように、車速がエンジン回転数に比例する関係に設定してある。中回転数領域ＮＭでは、エンジン回転数が第１設定回転数（アイドリング回転数）Ｎ１に達したときに車速が低速の設定速度になり、かつ、エンジン回転数が定格回転数よりも少し低い定格回転数近くの第２設定回転数Ｎ２に達したときに、車速が主変速装置９の最速変速比でエンジン回転数に対応するように、車速がエンジン回転数と主変速装置９の変速比とに比例する関係に設定してある。低回転数領域ＮＬでは、エンジン回転数が第１設定回転数（アイドリング回転数）Ｎ１に達したときに車速が低速の設定速度になり、かつ、エンジン回転数が零のときに主変速装置９が中立になって車速が零になるように、車速がエンジン回転数に比例する主変速装置９の変速比でエンジン回転数に対応する関係に設定してある〔図１０の（Ｂ）参照〕。
【００９０】
尚、図１０に示す一点鎖線は、低回転数領域ＮＬ及び中回転数領域ＮＭにおいて主変速装置９の変速比を最速変速比に維持した状態を想定したものである。
【００９１】
又、図１０の（Ｂ）に示す破線は、可変容量モータ３２を低速段に維持した状態で、零から定格回転数の間で変化するエンジン回転数に比例して可変容量ポンプ３１のポンプ斜板３１Ｂの操作角を零から操作限界角度に変更した場合に得られる主変速装置９の変速比を想定したものである。つまり、第２車速設定データの低回転数領域ＮＬでの主変速装置９の変速比は、可変容量モータ３２を低速段に設定した状態でエンジン回転数に比例して可変容量ポンプ３１のポンプ斜板３１Ｂの操作角を変更することによって低回転数領域ＮＬにおいて得ることができる変速比である。
【００９２】
車速制御手段２７Ｂは、副変速レバー用のレバーセンサ６０の出力に基づいて採用する車速設定データを変更する。具体的には、副変速レバー用のレバーセンサ６０の出力から読み取った副変速装置１０の変速段が低速作業用の低速段又は高速作業用の高速段であれば第１車速設定データを採用し、高速移動用の最速段であれば第２車速設定データを採用する。
【００９３】
ＥＣＵ２７には、主変速装置９の最速変速比を基準にして設定した各車速設定データを、任意に設定した主変速レバー２０の操作位置に対応する設定変速比を基準とするものに補正するためのゲインを備えてある。
【００９４】
車速制御手段２７Ｂは、主変速レバー用のレバーセンサ５９の出力から主変速レバー２０の操作位置に対応するゲインを読み取り、採用した車速設定データに読み取ったゲインを乗じて、採用した車速設定データを主変速レバー２０の操作位置に対応する設定変速比を基準とする適正なものに自動的に補正する。
【００９５】
例えば、その一例として、主変速レバー２０の操作位置が主変速レバー２０の最速位置に対する５０％の位置であれば、採用した車速設定データに０．５を乗じて、採用した車速設定データを、その全域にわたって主変速装置９の最速変速比に対する５０％の変速比を基準とする適正なもの〔図１０において仮想線（二点鎖線）で示す関係が得られるもの〕に自動的に補正する。又、主変速レバー２０の操作位置が最速位置であれば、採用した車速設定データに１．０を乗じて、採用した車速設定データを、その全域にわたって主変速装置９の最速変速比を基準とする適正なもの〔図１０において実線で示す関係が得られるもの〕に自動的に補正する。
【００９６】
これにより、図１０の（Ａ）に示すように、適正化後の第１車速設定データでは、エンジン回転数と主変速装置９の変速比と車速との関係が、高回転数領域ＮＨでは、車速が主変速レバー２０の操作位置に対応する補正後の主変速装置９の最速変速比（設定変速比）でエンジン回転数に対応するように、車速がエンジン回転数に比例する関係となる。又、中回転数領域ＮＭでは、エンジン回転数が第１設定回転数（アイドリング回転数）Ｎ１に達したときに車速が主変速レバー２０の操作位置に基づく補正後の極低速の設定速度になり、かつ、エンジン回転数が最大トルクを発揮する第２設定回転数Ｎ２に達したときに車速が前述した補正後の主変速装置９の最速変速比でエンジン回転数に対応するように、車速がエンジン回転数と主変速装置９の変速比とに比例する関係となる。低回転数領域ＮＬでは、車速が前述した補正後の極低速の設定速度で一定になるように、車速がエンジン回転数に反比例する主変速装置９の変速比でエンジン回転数に対応する関係となる。
【００９７】
一方、図１０の（Ｂ）に示すように、適正化後の第２車速設定データでは、エンジン回転数と主変速装置９の変速比と車速との関係が、高回転数領域ＮＨでは、車速が主変速レバー２０の操作位置に対応する補正後の主変速装置９の最速変速比（設定変速比）でエンジン回転数に対応するように、車速がエンジン回転数に比例する関係となる。又、中回転数領域ＮＭでは、エンジン回転数が第１設定回転数（アイドリング回転数）Ｎ１に達したときに車速が主変速レバー２０の操作位置に基づく補正後の低速の設定速度になり、かつ、エンジン回転数が定格回転数よりも少し低い第２設定回転数Ｎ２に達したときに車速が前述した補正後の主変速装置９の最速変速比でエンジン回転数に対応するように、車速がエンジン回転数と主変速装置９の変速比とに比例する関係となる。低回転数領域ＮＬでは、エンジン回転数が第１設定回転数（アイドリング回転数）Ｎ１に達したときに車速が前述した補正後の低速の設定速度になり、かつ、エンジン回転数が零のときに主変速装置９が中立になって車速が零になるように、車速がエンジン回転数に比例する主変速装置９の変速比でエンジン回転数に対応する関係となる。
【００９８】
そして、適正化した車速設定データでのエンジン回転数と主変速装置９の変速比と車速との関係が成立するように、適正化後の車速設定データとエンジンセンサ６２の出力とに基づいて制御目標車速を設定する。
【００９９】
上記の車速設定制御を図１１のフローチャートに基づいて説明すると、車速制御手段２７Ｂは、副変速レバー用のレバーセンサ６０の出力から副変速装置１０の変速段を判別し〔ステップ＃１〕、変速段が低速作業用の低速段又は高速作業用の高速段である場合は車速設定データとして作業走行用の第１車速設定データを採用し〔ステップ＃２〕、変速段が高速移動用の最速段である場合は車速設定データとして高速移動用の第２車速設定データを採用する〔ステップ＃３〕。次に、主変速レバー用のレバーセンサ５９の出力から車速設定データに対するゲインを読み取り〔ステップ＃４，＃５〕、このゲインを採用した車速設定データに乗じて車速設定データを主変速レバー２０の操作位置に対応する設定変速比（主変速レバー２０により設定された主変速装置９の最速変速比）を基準とする適正なものに自動的に補正する車速設定データの適正化を行なう〔ステップ＃６，＃７〕。そして、エンジンセンサ６２の出力からエンジン回転数を読み込み〔ステップ＃８，＃９〕、適正化した車速設定データと読み込んだエンジン回転数とに基づいて車速センサ６３の出力に対する制御目標車速を決定する〔ステップ＃１０，＃１１〕。
【０１００】
そして、この車速設定制御で決定した制御目標車速をＦＲレバー用のレバーセンサ６１の出力から前進用又は後進用に設定し、設定した前進用又は後進用の制御目標車速に車速センサ６３の出力が一致する（前進用又は後進用の制御目標車速の不感帯幅内に車速センサ６３の出力が収まる）ように、変速比変更手段Ｃの作動を制御し、ポンプ斜板３１Ｂやモータ斜板３２Ｂの操作角を変更して主変速装置９の変速比を変更する車速フィードバック制御を行う。
【０１０１】
上記の構成から、例えば、主変速レバー２０を零速位置から任意の操作位置に操作し、かつ、所定の走行条件を成立させた状態で、アクセルレバー１７又はアクセルペダル１８によるアクセル操作を行うと、エンジン回転数が中回転数領域ＮＭにある間は、アクセル操作によってエンジン回転数が増減するとともに、この増減するエンジン回転数に比例して主変速装置９の変速比が変化して、車速が高回転数領域ＮＨでの変化率よりも大きい一定の変化率で変化する。
【０１０２】
これにより、アクセル操作でエンジン回転数をアイドリング回転数から徐々に上昇させて車体を発進させる場合には、エンジン回転数がアイドリング回転数に近いほど主変速装置９の変速比が低速側の大きい変速比になってエンジン３にかかる負荷を軽減することから、主変速装置９の変速比を主変速レバー２０の操作位置に対応した設定変速比に維持した状態で車体を発進させる場合に比較して、発進時での過負荷に起因したエンジン回転数の低下やエンジンストールの発生を効果的に抑制することができ、車体の発進をスムーズに行うことができる。
【０１０３】
又、車体を圃場に出入りさせる畦越え走行や、歩み板を使用して車体をトラックの荷台に積み降ろしする積み降ろし走行などを行う場合には、アクセル操作でエンジン回転数をアイドリング回転数に近づけるほど主変速装置９の変速比が低速側の大きい変速比になってエンジン３にかかる負荷を軽減するとともに車速が大きく低下することから、畦越え走行や積み降ろし走行などを低速で良好に行うことができる。特に、副変速レバー２１を低速位置又は高速位置に操作して第１車速設定データを採用すれば、副変速装置１０の変速段をトルクの高い低速段又は高速段に設定することができ、車速を極低速に設定できることから、畦越え走行や積み降ろし走行などを高トルクの極低速でより良好に行うことができる。
【０１０４】
しかも、中回転数領域ＮＭでは、アクセル操作によってエンジン回転数が増減するだけの構成に比較してアクセル操作による車速の調節範囲が広くなり、又、アクセル操作量に対する車速の変化量が大きくなってアクセル操作による加減速が行い易くなることから、中回転数領域ＮＭを利用した移動走行を快適に行うことができる。特に、副変速レバー２１を高速移動位置に操作した高速移動状態では、第２設定回転数Ｎ２をエンジン３の定格回転数よりも少し低い回転数に設定してある第２車速設定データを採用することにより、アイドリング回転数から定格回転数にわたる領域の略全域においてアクセル操作による加減速が行い易くなることから、高速での移動走行をも快適に行うことができる。
【０１０５】
一方、エンジン回転数が高回転数領域ＮＨにある間は、アクセル操作や走行負荷あるいは作業負荷によってエンジン回転数が変化しても、主変速装置９の変速比は主変速レバー２０の操作位置に対応する設定変速比で一定になることから、車速がエンジン回転数に比例する関係を維持することができる。特に、副変速レバー２１を低速位置又は高速位置に操作した作業走行状態では、エンジン３が最大トルクを発揮する回転数を第２設定回転数Ｎ２に設定してある第１車速設定データを採用することにより、高回転数領域ＮＨが、エンジン３が最大トルクを発揮する第２設定回転数Ｎ２から定格回転数にわたる広い領域になり、この広い高回転数領域ＮＨにおいて車速がエンジン回転数に比例する関係を維持することができる。これにより、ＰＴＯ軸１６から取り出したエンジン３からの非変速動力で作動するロータリ耕耘装置などの作業装置を車体の後部に連結して作業を行う場合には、副変速レバー２１を低速位置又は高速位置に操作しておけば、エンジン３が最大トルクを発揮する第２設定回転数Ｎ２から定格回転数にわたる広い高回転数領域ＮＨにおいて、車速と作業装置の作動速度とをそれらがエンジン回転数に比例する一定の関係に維持することができる。その結果、車速と作業装置の作動速度とを一定の関係に維持することができなくなることに起因して作業装置による作業跡に斑が生じることを防止することができ、作業装置による作業跡を均一に作業を施した良好な状態に仕上げることができる。特に、車体の後部にロータリ耕耘装置を連結して耕耘作業を行う場合には、ロータリ耕耘装置による耕耘跡を均一に耕した良好な耕耘状態に仕上げることができる。
【０１０６】
そして、走行負荷や作業負荷などに起因してエンジン回転数が高回転数領域ＮＨから中回転数領域ＮＭに低下した場合には、中回転数領域ＮＭでのエンジン回転数の低下とともに主変速装置９の変速比が低速側の大きい変速比になってエンジン３にかかる負荷を軽減することから、エンジン３に粘りを持たせることができ、過負荷によるエンジン回転数の低下やエンジンストールの発生を効果的に抑制することができる。又、これにより、エンジン回転数を高回転数領域ＮＨに維持した状態での左右のブレーキペダル１９又は停止ペダル２３の踏み込み解除操作あるいはＦＲレバー２２の中立位置から前進位置又は後進位置への揺動操作で車体を発進させる場合に、そのときの走行負荷や作業負荷などに起因してエンジン回転数が低下しても、中回転数領域ＮＭまで低下すればエンジン３に粘りを持たせることができて過負荷によるエンジン回転数の低下やエンジンストールの発生を効果的に抑制できることから、左右のブレーキペダル１９や停止ペダル２３あるいはＦＲレバー２２を利用した車体の発進をスムーズに行うことができる。
【０１０７】
更に、走行負荷や作業負荷などに起因してエンジン回転数が低回転数領域ＮＬまで低下した場合には、作業走行時に採用する第１車速設定データでは車速が極低速の設定速度で一定になり、又、高速移動時に採用する第２車速設定データではエンジン回転数が零のときに車速が零になるように設定していることから、エンジン回転数が零に低下するまでの間で主変速装置９が中立になることはなく、これにより、エンジン３が稼働しているにもかかわらずエンジン回転数の低下で主変速装置９が中立になって車体が走行停止するといった運転者が違和感を覚える虞のある現象の発生を防止することができる。
【０１０８】
その上、低回転数領域ＮＬでは低速又は極低速の走行状態を維持することから、低回転数領域ＮＬにおいてもエンジン３にある程度の粘りを持たせることができ、この粘りにより、運転者に、低回転数領域ＮＬでのエンジン３に対する負荷の掛け過ぎを認識させて、負荷を軽減するための主変速レバー２０の減速操作などの何らかの処置を促すことができる。そして、何の処置も行なわれなかった場合には過負荷によるエンジンストールが発生して低回転数領域ＮＬでのエンジン３に対する負荷の掛け過ぎを運転者に再認識させることができる。
【０１０９】
ちなみに、車速制御に関する構成としては、上記の構成に代えて、主変速装置９の変速比と副変速装置１０の変速比を合わせたものを走行用の変速装置の変速比とし、車速設定データとして、エンジン回転数と走行用の変速装置の変速比と車速（副変速装置１０の出力回転数）との関係を示すものを採用し、副変速装置１０の出力回転数を制御上の車速として検出する車速センサを備える構成としてもよい。又、主変速装置９の変速比、副変速装置１０の変速比、及び、後輪用の差動装置１３などによる最終減速比、などを合わせたものを後輪伝動系の変速比とし、車速設定データとして、エンジン回転数と後輪伝動系の変速比と車速との関係を示すものを採用する構成としてもよい。
【０１１０】
図４及び図１２〜１３に示すように、車速制御手段２７Ｂには、主変速レバー２０の操作位置やエンジン回転数などに基づいて設定される主変速装置９の変速比を判定する変速比判定手段２７Ｂａ、エンジン回転数の設定回転数からの低下量（以下、エンジンドロップ量と称する）を検出する低下量検出手段２７Ｂｂ、主変速レバー用のレバーセンサ５９の出力に基づいて可変容量モータ３２の変速段を切り換える第１切換制御手段２７Ｂｃ、変速比判定手段２７Ｂａの判定に基づいて可変容量モータ３２の変速段を切り換える第２切換制御手段２７Ｂｄ、及び、低下量検出手段２７Ｂｂの出力に基づいて可変容量モータ３２の変速段を切り換える第３切換制御手段２７Ｂｅを備えてある。
【０１１１】
そして、車速制御手段２７Ｂは、副変速レバー用のレバーセンサ６０の出力から読み取った副変速装置１０の変速段に応じて、可変容量モータ３２の変速段の切り換えに関する制御作動を切り換えるように構成してある。具体的には、車速制御手段２７Ｂは、副変速装置１０の変速段が低速作業用の低速段である場合は第１切換制御手段２７Ｂｃを作動させ、副変速装置１０の変速段が高速作業用の高速段である場合は第１切換制御手段２７Ｂｃ及び第３切換制御手段２７Ｂｅを作動させ、副変速装置１０の変速段が高速移動用の最速段である場合は第２切換制御手段２７Ｂｄ及び第３切換制御手段２７Ｂｅを作動させる。
【０１１２】
尚、変速比判定手段２７Ｂａは、採用している適正化後の車速設定データ（主変速レバー２０の操作位置に基づいて補正した車速設定データ）とエンジンセンサ６２の出力に基づいて設定した制御目標車速が可変容量モータ３２の低速段で得ることが可能な速度の限界値を超えているか否かを判定することで、主変速レバー２０の操作位置やエンジン回転数などに基づいて設定される主変速装置９の変速比が可変容量モータ３２の低速段で得ることが可能な変速比か否かを判定するように構成してある。
【０１１３】
低下量検出手段２７Ｂｂは、調速レバー用のレバーセンサ３０の出力に基づいてアクセルレバー１７又はアクセルペダル１８で設定されたエンジン３の設定回転数を読み取り、読み取ったエンジン３の設定回転数とエンジンセンサ６２の出力に基づいてエンジンドロップ量を演算する。
【０１１４】
図１２のフローチャートに基づいて第１切換制御手段２７Ｂｃの制御作動で可変容量モータ３２の変速段を切り換える第１切り換え制御について説明すると、第１切換制御手段２７Ｂｃは、主変速レバー用のレバーセンサ５９の出力に基づいて主変速レバー２０の操作位置を判別する〔ステップ＃１，＃２〕。そして、主変速レバー２０の操作位置が零速位置を含む低速設定領域内である場合は、可変容量モータ３２の変速段が低速段に維持されるように変速操作弁４３への通電停止を継続する〔ステップ＃３〕。主変速レバー２０の操作位置が最速位置を含む高速設定領域内である場合は、可変容量モータ３２の変速段が高速段に維持されるように変速操作弁４３への通電を継続する〔ステップ＃４〕。主変速レバー２０の操作位置が低速設定領域と高速設定領域との間の中速設定領域内である場合は、中速設定領域への操作過程を判別し〔ステップ＃５〕、低速設定領域からの操作で中速設定領域に位置している場合は可変容量モータ３２の変速段が低速段に維持され、高速設定領域からの操作で中速設定領域に位置している場合は可変容量モータ３２の変速段が高速段に維持されるように変速操作弁４３への通電を制御する〔ステップ＃３，４〕。又、可変容量モータ３２の変速段が低速段である場合は、主変速レバー用のレバーセンサ５９の出力に基づいて主変速レバー２０の中速設定領域から高速設定領域への操作の有無を判別し〔ステップ＃６〕、高速設定領域への操作を検知した場合は、可変容量モータ３２の変速段が低速段から高速段に切り換わるように変速操作弁４３への通電を開始するとともに〔ステップ＃７〕、可変容量モータ３２の低速段から高速段への切り換えによって変化する主変速装置９の変速比の増速分を補うように設定した操作量で可変容量ポンプ３１のポンプ斜板３１Ｂが減速操作されるように前進用の変速弁３８又は後進用の変速弁３９への通電を制御する〔ステップ＃８〕。可変容量モータ３２の変速段が高速段である場合は、主変速レバー用のレバーセンサ５９の出力に基づいて主変速レバー２０の中速設定領域から低速設定領域への操作の有無を判別し〔ステップ＃９〕、低速設定領域への操作を検知した場合は、可変容量モータ３２の変速段が高速段から低速段に切り換わるように変速操作弁４３への通電を停止するとともに〔ステップ＃１０〕、可変容量モータ３２の高速段から低速段への切り換えによって変化する主変速装置９の変速比の減速分を補うように設定した操作量で可変容量ポンプ３１のポンプ斜板３１Ｂが増速操作されるように前進用の変速弁３８又は後進用の変速弁３９への通電を制御する〔ステップ＃１１〕。
【０１１５】
図１３のフローチャートに基づいて第２切換制御手段２７Ｂｄの制御作動で可変容量モータ３２の変速段を切り換える第２切り換え制御について説明すると、第２切換制御手段２７Ｂｄは、変速比判定手段２７Ｂａの判定に基づいて、採用している適正化後の車速設定データとエンジンセンサ６２の出力に基づいて決定した制御目標車速が可変容量モータ３２の低速段で得ることが可能な速度の限界値を超えているか否かを判別する〔ステップ＃１〕。そして、制御目標車速が限界値を超えていない場合は制御目標車速が速度の限界値を超えたか否かを判別し〔ステップ＃２〕、速度の限界値を超えていない場合は、可変容量モータ３２の変速段が低速段に維持されるように変速操作弁４３への通電停止を継続する〔ステップ＃３〕。制御目標車速が限界値を超えた場合は、可変容量モータ３２の変速段が低速段から高速段に切り換わるように変速操作弁４３への通電を開始するとともに〔ステップ＃４〕、可変容量モータ３２の低速段から高速段への切り換えによって変化する主変速装置９の変速比の増速分を補うように設定した操作量で可変容量ポンプ３１のポンプ斜板３１Ｂが減速操作されるように前進用の変速弁３８又は後進用の変速弁３９への通電を制御する〔ステップ＃５〕。ステップ＃１において制御目標車速が速度の限界値を超えている場合は速度の限界値以下に低下したか否かを判別し〔ステップ＃６〕、速度の限界値以下に低下していない場合は、可変容量モータ３２の変速段が高速段に維持されるように変速操作弁４３への通電を継続する〔ステップ＃７〕。制御目標車速が限界値以下に低下した場合は、可変容量モータ３２の変速段が高速段から低速段に切り換わるように変速操作弁４３への通電を停止するとともに〔ステップ＃８〕、可変容量モータ３２の高速段から低速段への切り換えによって変化する主変速装置９の変速比の減速分を補うように設定した操作量で可変容量ポンプ３１のポンプ斜板３１Ｂが増速操作されるように前進用の変速弁３８又は後進用の変速弁３９への通電を制御する〔ステップ＃９〕。
【０１１６】
図１４のフローチャートに基づいて第３切換制御手段２７Ｂｅの制御作動で可変容量モータ３２の変速段を切り換える第３切り換え制御について説明すると、第３切換制御手段２７Ｂｅは、変速操作弁４３に対する通電状態から可変容量モータ３２の変速段を判別する〔ステップ＃１〕。そして、変速段が高速段である場合に、低下量検出手段２７Ｂｂの出力からエンジンドロップ量を監視し〔ステップ＃２〕、エンジンドロップ量が設定量（例えば設定回転数の２０％の値）に達したか否かを判別し〔ステップ＃３〕、エンジンドロップ量が設定量に達した場合に、可変容量モータ３２の変速段が高速段から低速段に切り換わるように変速操作弁４３への通電を停止する〔ステップ＃４〕。その後、エンジンドロップ量が所定の許容範囲内まで回復したか否かを判別し〔ステップ＃５〕、所定の許容範囲内まで回復した場合に、可変容量モータ３２の変速段が高速段から低速段に切り換わるように変速操作弁４３への通電を開始する〔ステップ＃６〕。
【０１１７】
上記の構成から、副変速装置１０の変速段を低速段に設定した低速作業状態や高速段に設定した高速作業状態において、重負荷作業などをより快適に行えるようにするために、より高いトルクを確保したい場合には、主変速レバー２０を低速設定領域又は低速設定領域から中速設定領域に位置させることにより、可変容量モータ３２の変速段を低速段に設定することができ、より高いトルクを確保することができる。これにより、重負荷作業時などでの車体の発進や走行などをスムーズに行うことができ、重負荷作業などをより快適に行うことができる。
【０１１８】
そして、副変速装置１０の変速段を低速段に設定する低速作業状態では、その変速段によって高いトルクを確保していることで過負荷に起因したエンジン回転数の低下やエンジンストールが発生し難くなっていることから、主変速装置９における可変容量モータ３２の高低切り換えは、運転者の意思による主変速レバー２０の操作によってのみ行えるようにしてある。これにより、低速作業状態において作業効率の向上を図るために主変速装置９の可変容量モータ３２を高速段に切り換えた場合であっても、エンジン回転数の低下によって可変容量モータ３２の変速段が不測に高速段から低速段に切り換わることはなく、エンジン回転数が高回転数領域ＮＨ内であれば、作業を考慮した運転者の意思に基づく主変速レバー２０やアクセルレバー１７又はアクセルペダル１８の操作で設定した主変速装置９の変速比を維持することができる。そして、エンジン回転数の低下が著しい場合には、運転者の意思による主変速レバー２０の操作で主変速装置９の可変容量モータ３２を低速段に切り換えることができ、エンジン回転数の低下を抑制あるいは防止することができる。その結果、ロータリ耕耘作業のように車速と作業装置の作動速度とをそれらがエンジン回転数に比例する一定の関係に維持することが望ましい作業を良好に行うことができる。
【０１１９】
又、副変速装置１０の変速段を高速段に設定する高速作業状態では、その変速段によって比較的高いトルクを確保しているものの、低速段である場合に比較して過負荷に起因したエンジン回転数の低下やエンジンストールが発生し易いことから、主変速装置９における可変容量モータ３２の高低切り換えは、運転者の意思による主変速レバー２０の操作だけでなく、エンジンドロップ量に基づいて自動的に行われるようにしてある。これにより、主変速装置９における可変容量モータ３２の高低切り換えを作業に応じた運転者の意思に基づいて行えるようにしながらも、過負荷に起因したエンジンストールの発生を防止することができる。
【０１２０】
更に、低速作業状態と高速作業状態のいずれにおいても、主変速装置９の変速比を低速側の大きい変速比に設定する低速走行時には、可変容量モータ３２の変速段が低速段になることにより、可変容量ポンプ３１におけるポンプ斜板３１Ｂの操作角として油圧伝達効率の高い高速側の大きい角度を採用することができ、結果、低速走行時での車速を安定させることができる。
【０１２１】
しかも、中速設定領域においてヒステリシスを持たせていることから、主変速レバー２０の操作で可変容量モータ３２の高低切り換えが頻繁に行われることを防止することができる。
【０１２２】
一方、副変速装置１０の変速段を最速段に設定する高速移動状態では、その変速段によってトルクが低くなっていることから、制御目標車速が可変容量モータ３２の低速段で得ることが可能な速度である限り、可変容量モータ３２の変速段を低速段に維持して高いトルクを確保するようにしてある。これにより、副変速装置１０の変速段を最速段に設定した高速移動状態での車体の発進時や走行中における過負荷に起因したエンジン回転数の低下やエンジンストールの発生を効果的に抑制することができる。又、できる限り可変容量モータ３２を低速段に維持することにより、ポンプ斜板３１Ｂの操作角として油圧伝達効率の高い大きい角度をより広い変速領域で使用することができ、これにより、副変速装置１０の変速段を最速段に設定した高速移動状態での発進時や走行中における主変速装置９での油圧伝達効率を向上させることができ、高速移動状態での車体の発進時や走行中における過負荷に起因したエンジン回転数の低下やエンジンストールの発生をより効果的に抑制することができる。
【０１２３】
しかも、第１切換制御手段２７Ｂｃ又は第２切換制御手段２７Ｂｄの制御作動で可変容量モータ３２の変速段を切り換える場合には、その切り換えによって変化する主変速装置９の変速比の変化分を補うように設定した操作量でポンプ斜板３１Ｂを操作することから、主変速レバー２０やアクセルレバー１７又はアクセルペダル１８を操作して主変速装置９の変速比を変更する変速操作を、可変容量モータ３２の変速段の切り換えが行われた場合であっても無段階でスムーズに行うことができる。
【０１２４】
そして、副変速装置１０の変速段を低速段に設定する低速作業状態、高速段に設定する高速作業状態、及び、最速段に設定する高速移動状態のそれぞれに適した可変容量モータ３２の変速段の切り換えに関する制御作動の選択を、副変速レバー２１による副変速装置１０の変速段の切り換えとともに自動的に行うことができる。
【０１２５】
ちなみに、主変速レバー２０の中速設定領域は、可変容量モータ３２の変速段を低速段と高速段のいずれに切り換えた場合でも得ることが可能な主変速装置９の変速比を主変速レバー２０により設定することができる領域である。又、可変容量モータ３２の低速段で得ることが可能な速度とは、可変容量モータ３２の変速段を低速段に設定した状態で可変容量ポンプ３１のポンプ斜板３１Ｂの操作角を零から操作限界角度に変更することによって得ることができる変速比と、この変速比に第２車速設定データで対応するエンジン回転数とで得ることができる速度であり、この速度の限界値は、可変容量モータ３２の変速段を低速段に設定した状態で可変容量ポンプ３１のポンプ斜板３１Ｂの操作角を操作限界角度に変更することによって得ることができる低速段での最速変速比と、この最速変速比に第２車速設定データで対応するエンジン回転数とで得ることができる速度である。
【０１２６】
尚、第１切換制御手段２７Ｂｃの制御作動においては、第１切換制御手段２７Ｂｃが、主変速レバー用のレバーセンサ５９の出力に基づいて、主変速レバー２０の低速設定領域から中速設定領域への操作を検知した場合に、可変容量モータ３２の変速段が低速段から高速段に切り換わるように変速操作弁４３への通電を開始するとともに、可変容量モータ３２の低速段から高速段への切り換えによって変化する主変速装置９の変速比の増速分を補うように設定した操作量で可変容量ポンプ３１のポンプ斜板３１Ｂが減速操作されるように前進用の変速弁３８又は後進用の変速弁３９への通電を制御し、主変速レバー２０の中速設定領域から高速設定領域への操作を検知した場合は可変容量モータ３２の変速段が高速段に維持されるように変速操作弁４３への通電を制御し、主変速レバー２０の高速設定領域から中速設定領域への操作を検知した場合に、可変容量モータ３２の変速段が高速段から低速段に切り換わるように変速操作弁４３への通電を停止するとともに、可変容量モータ３２の高速段から低速段への切り換えによって変化する主変速装置９の変速比の減速分を補うように設定した操作量で可変容量ポンプ３１のポンプ斜板３１Ｂが増速操作されるように前進用の変速弁３８又は後進用の変速弁３９への通電を制御し、主変速レバー２０の中速設定領域から低速設定領域への操作を検知した場合は可変容量モータ３２の変速段が低速段に維持されるように変速操作弁４３への通電を停止するように構成してもよい。
【０１２７】
図４、図１５及び図１６に示すように、表示パネル２４には、エンジン回転数を表示するタコメータ６６や車速などを表示する表示手段の一例である液晶表示器６７などを備えてある。液晶表示器６７には、車速を文字表示する車速表示部６７Ａ、主変速装置９の変速段を文字表示する主変速段表示部（無段変速用の変速段表示部）６７Ｂ、可変容量モータ３２の変速段を文字表示するモータ変速段表示部６７Ｃ、副変速装置１０の変速段を文字表示する副変速段表示部（有段変速用の変速段表示部）６７Ｄ、及び、任意に設定された車速を文字表示する設定車速表示部６７Ｅ、などを備えてある。液晶表示器６７の作動は、ＥＣＵ２７に制御プログラムとして備えた表示制御手段２７Ｅの制御作動により制御する。
【０１２８】
車速表示部６７Ａは、液晶表示器６７における中段下部の右側部分に配置してある。主変速段表示部６７Ｂは、車速表示部６７Ａから離れるように液晶表示器６７における上段の左側部分に配置してある。モータ変速段表示部６７Ｃは、車速表示部６７Ａと主変速段表示部６７Ｂとの間に位置するように液晶表示器６７における中段上部の左側部分に配置してある。副変速段表示部６７Ｄは、液晶表示器６７における主変速段表示部６７Ｂの左側に隣接配置してある。設定車速表示部６７Ｅは、車速表示部６７Ａの下方に位置するように液晶表示器６７における下段の右側部分に配置してある。
【０１２９】
表示制御手段２７Ｅは、車速センサ６３が出力する主変速装置９の出力回転数、副変速レバー用のレバーセンサ６０の出力から読み取った副変速装置１０の設定変速段での変速比、及び、車速の演算に関する固定データである後輪用の差動装置１３などによる最終減速比と後輪２の外周の長さに基づいて実際の車速（以下、実車速と称する）を演算する車速演算部２７Ｅａを備え、この車速演算部２７Ｅａが出力する実車速を車速表示部６７Ａに表示する。
【０１３０】
表示制御手段２７Ｅは、エンジン３の定格回転数、主変速レバー用のレバーセンサ５９の出力に基づく車速制御手段２７Ｂの制御作動で適正化された車速設定データ（主変速装置９の設定変速比）、副変速装置１０の設定変速段での変速比、最終減速比、及び、後輪２の外周の長さに基づいて、主変速レバー２０及び副変速レバー２１により任意に設定した変速状態でエンジン回転数が定格回転数に達したときに得られる理論上の車速である定格車速を演算する定格車速演算部２７Ｅｂを備え、この定格車速演算部２７Ｅｂが出力する定格車速を主変速装置９の変速段として単位のない状態で主変速段表示部６７Ｂに表示する。
【０１３１】
表示制御手段２７Ｅは、可変容量モータ３２の変速段を車速制御手段２７Ｂの制御作動から読み取ってモータ変速段表示部６７Ｃに表示する。又、副変速装置１０の変速段を、その変速段を検出する変速段検出手段として機能する副変速レバー用のレバーセンサ６０の出力から読み取って副変速段表示部６７Ｄに表示する。
【０１３２】
表示制御手段２７Ｅは、調速レバー用のレバーセンサ３０の出力から読み取ったエンジン３の設定回転数、この設定回転数と車速制御手段２７Ｂが採用している適正化後の車速設定データとから決まる主変速装置９の変速比、副変速装置１０の設定変速段での変速比、最終減速比、及び、後輪２の外周の長さに基づいて、主変速レバー２０及び副変速レバー２１により任意に設定した変速状態でエンジン回転数が任意に設定した設定回転数に達したときに得られる理論上の車速である設定車速を演算する設定車速演算部２７Ｅｃを備え、この設定車速演算部２７Ｅｃが出力する設定車速を設定車速表示部６７Ｅに表示する。
【０１３３】
そして、車速演算部２７Ｅａ、定格車速演算部２７Ｅｂ、及び、設定車速演算部２７Ｅｃにより演算手段Ｄを構成してある。
【０１３４】
各表示部６７Ａ〜６７Ｅでの表示は、具体的には、演算した車速が１０ｋｍ／ｈであれば「１０．０ｋｍ」を、４．５ｋｍ／ｈであれば「４．５ｋｍ」を車速表示部６７Ａに表示する。演算した定格車速が１２ｋｍ／ｈであれば「１２．０」を、６ｋｍ／ｈであれば「６．０」を主変速装置９の変速段として主変速段表示部６７Ｂに表示する。車速制御手段２７Ｂの制御作動から読み取った可変容量モータ３２の変速段が低速段であれば「Ｌ」を、高速段であれば「Ｈ」をモータ変速段表示部６７Ｃに表示する。副変速レバー用のレバーセンサ６０の出力から読み取った副変速装置１０の変速段が作業用の低速段であれば「低」を、作業用の高速段であれば「高」を、高速移動用の最速段であれば「高速」を副変速段表示部６７Ｄに表示する。演算した設定車速が１０ｋｍ／ｈであれば「１０．０ｋｍ」を、４．５ｋｍ／ｈであれば「４．５ｋｍ」を設定車速表示部６７Ｅに表示する。そして、設定車速表示部６７Ｅでの表示は、車速が変わる操作が行われた場合に、そのときの設定車速を設定時間（例えば５秒）の間だけ表示する割り込み表示としてある。
【０１３５】
ちなみに、ここでいう車速が変わる操作（車速を変える操作）とは、アクセルレバー１７の操作、アクセルペダル１８の操作、左右のブレーキペダル１９の両踏み操作、主変速レバー２０の操作、副変速レバー２１の操作、ＦＲレバー２２の操作、及び、停止ペダル２３の操作である。又、アクセルレバー１７、アクセルペダル１８、左右のブレーキペダル１９、主変速レバー２０、副変速レバー２１、ＦＲレバー２２、及び、停止ペダル２３が車速を変える操作具Ｅである。更に、アクセルレバー用のレバーセンサ２８、アクセルペダル用のペダルセンサ２９、主変速用のレバーセンサ５９、副変速用のレバーセンサ６０、ＦＲレバー用のレバーセンサ６１、停止ペダル用のペダルセンサ６４、及び、ブレーキ用のペダルセンサ６５が車速が変わる操作具Ｅの操作を検出する変速操作検出手段Ｆである。
【０１３６】
上記の構成から、主変速レバー２０を操作して主変速装置９の設定変速比を変更すると、主変速段表示部６７Ｂに表示される主変速装置９の変速段が主変速レバー２０の操作位置に応じて連続的に変化することから、主変速レバー２０による主変速装置９の変速比の設定が行い易くなる。そして、主変速段表示部６７Ｂに表示される主変速装置９の変速段は、主変速レバー２０及び副変速レバー２１により設定した変速状態でアクセル操作を最大にしたときに得られる最高速度と一致する定格車速であることから、各変速状態での最高速度を記した車速表を用いることなく作業条件に応じた車速設定を容易に行うことができる。又、主変速段表示部６７Ｂに表示される主変速装置９の変速段が定格車速であることにより、副変速装置１０の変速段を変更すると、変更した副変速装置１０の変速段に応じて主変速段表示部６７Ｂでの表示レンジが自動的に切り換わることから、副変速装置１０の変速段の切り換えを含めた作業条件に応じた車速設定が行い易くなり、しかも、主変速段表示部６７Ｂと副変速段表示部６７Ｄとが左右に隣接して位置することから、主変速装置９の変速段と副変速装置１０の変速段との関連性が把握し易くなる。その上、車速表示部６７Ａから離れた位置に主変速段表示部６７Ｂを配置し、かつ、車速表示部６７Ａと主変速段表示部６７Ｂとの間にモータ変速段表示部６７Ｃを配置し、更に、主変速段表示部６７Ｂでの表示に単位を付けないことにより、アクセル操作を最大にすることで車速表示部６７Ａに表示される実車速と主変速段表示部６７Ｂに表示される主変速装置９の変速段とが同じ値になったとしても、それらの表示内容を簡単に見分けることができる。
【０１３７】
又、設定車速表示部６７Ｅでは、アクセルレバー１７や主変速レバー２０などによる車速設定操作を行うと、アクセルレバー１７又はアクセルペダル１８の操作位置と主変速レバー２０及び副変速レバー２１の操作位置とから決まる設定車速（車速設定操作から予想される到達車速）が即座に表示されるとともに、表示される設定車速が車速設定操作に応じて連続的に変化することから、例えば任意のエンジン回転数及び車速で作業を行う場合などにおける車速の設定を、走行中や停止中にかかわらず簡単に素早く行うことができる。そして、設定車速表示部６７Ｅでの表示を車速が変わる操作が行われた場合の割り込み表示としていることにより、設定車速表示部６７Ｅでの表示の意味を運転者に明確に認識させることができ、しかも、車速表示部６７Ａに表示される車速と設定車速表示部６７Ｅに表示される設定車速とが同じになる設定車速での走行中は設定車速表示部６７Ｅでの表示が行われないことから、液晶表示器６７において同じ値（速度）が上下に並んで無駄に表示されることを防止することができる。
【０１３８】
更に、モータ変速段表示部６７Ｃにおいて可変容量モータ３２の変速段を表示することにより、主変速レバー２０の操作や車速の増減などによって切り換わる可変容量モータ３２の変速段を運転者に容易に認識させることができる。
【０１３９】
尚、この実施形態では、主変速レバー２０、副変速レバー２１、車速制御手段２７Ｂ、主変速レバー用のレバーセンサ５９、副変速レバー用のレバーセンサ６０、及び、車速設定データにより、主変速装置（無段変速装置）９の変速比を設定する変速比設定手段Ｇを構成してあり、車速制御手段２７Ｂにより、変速比設定手段Ｇにより設定された主変速装置（無段変速装置）９の変速比を検出する変速比検出手段Ｈを構成してある。又、アクセルレバー１７、アクセルペダル１８、アクセルレバー用のレバーセンサ２８、及び、アクセルペダル用のペダルセンサ２９により、エンジン回転数を設定するエンジン回転数設定手段Ｉを構成し、調速レバー用のレバーセンサ３０によりエンジン３の設定回転数を検出する設定回転数検出手段Ｊを構成してある。更に、表示制御手段２７Ｅにより、可変容量モータ３２の変速段を検出するモータ変速段検出手段Ｋを構成してある。
【０１４０】
〔別実施形態〕
【０１４１】
〔１〕作業車としては、乗用田植機やコンバインなどの農作業車、乗用草刈機、又は、ホイールローダなどの建設作業車などであってもよい。
【０１４２】
〔２〕作業車としては、有段変速装置１０を備えていない構成のもの、左右の後輪２を独立して変速する左右一対の無段変速装置９を備えるように構成したもの、主クラッチを備えるように構成したもの、あるいは、前後進切り換え専用の前後進切換機構を備えるように構成したものなどであってもよい。
【０１４３】
〔３〕無段変速装置９としては、可変容量モータ３２を３段以上に変速可能に構成したＨＳＴ、定容量モータを備えたＨＳＴ、ベルト式無段変速装置、又は、ＨＳＴと遊星歯車とを組み合わせて構成した油圧機械式無段変速装置（ＨＭＴ）などであってもよい。
【０１４４】
〔４〕静油圧式無段変速装置９としては、例えば、ポンプ斜板３１Ｂの操作角を検出する斜板角センサを備え、主変速レバー２０の操作位置に基づいて設定した制御目標操作角に斜板角センサの出力が一致する（制御目標操作角の不感帯幅内に斜板角センサの操作角が収まる）ように車速制御手段２７Ｂがポンプ斜板操作手段Ａの作動を制御する斜板フィードバック制御によってポンプ斜板３１Ｂが操作されるように構成したものであってもよい。
【０１４５】
〔５〕有段変速装置１０としては、作業用の低速段と移動用の高速段の２段の変速が可能となるように構成したものであってもよい。
【０１４６】
〔６〕変速比設定手段Ｇ及び変速比検出手段Ｈの構成としては種々の変更が可能である。例えば、車速制御手段２７Ｂが主変速レバー２０の操作位置を検出する主変速レバー用のレバーセンサ５９の出力のみに基づいてＨＳＴ９の変速比を設定する構成のものであれば、変速比設定手段Ｇを、主変速レバー２０及び主変速レバー用のレバーセンサ５９により構成することができ、変速比検出手段Ｈを車速制御手段２７Ｂにより構成することができる。又、主変速レバー２０とＨＳＴ９のポンプ斜板３１Ｂとを連係ロッドや連係ワイヤなどにより機械的に連係する構成のものであれば、変速比設定手段Ｇを主変速レバー２０により構成することができ、変速比検出手段Ｈを、主変速レバー用のレバーセンサ５９又はポンプ斜板３１Ｂの操作角を検出する斜板角センサにより構成することができる。
【０１４７】
〔７〕表示手段６７としては、セグメント方式やドットマトリックス方式のＬＥＤ表示器などを採用することができる。
【０１４８】
〔８〕有段変速用の変速段検出手段６０としては、有段変速装置１０に備えた変速段切り換え用のシフト部材の操作位置を検出するように構成したものなどであってもよい。
【０１４９】
〔９〕エンジン回転数設定手段Ｉを、任意に設定してＥＥＰＲＯＭなどに記憶させたエンジン３の設定回転数の読み出しを指令するスイッチなどにより構成してもよい。
【０１５０】
〔１０〕設定回転数検出手段Ｊを、アクセルレバー用のレバーセンサ２８やアクセルペダル用のペダルセンサ２９で構成してもよい。
【０１５１】
〔１１〕車速を変える操作具Ｅやその操作を検出する変速操作検出手段Ｆとしては種々の変更が可能であり、主クラッチを備えた作業車においては、主クラッチを操作するクラッチペダルが操作具Ｅとなり、クラッチペダルの操作位置を検出するクラッチセンサが変速操作検出手段Ｆとなる。無段変速装置９の変速比を変更する変速ペダルを備えた作業車においては、変速ペダルが操作具Ｅとなり、変速ペダルの操作を検出する変速ペダル用のペダルセンサが変速操作検出手段Ｆとなる。
【０１５２】
〔１２〕表示制御手段２７Ｅが、ＦＲレバー用のレバーセンサ６１、停止ペダル用のペダルセンサ６４、あるいは、ブレーキ用のペダルセンサ６５などの出力に基づいて車体の停止を検知している場合に、設定車速表示部６７Ｅによる設定車速の表示を行うように構成してもよい。
【０１５３】
〔１３〕回転数検出手段６３としては、副変速装置（有段変速装置）１０の出力回転数を検出するように構成したものであってもよく、又、後輪用の差動装置１３の出力回転数を検出するように左右の後車軸に備えた左右一対のものであってもよい。そして、演算手段Ｄによる車速の演算は回転数検出手段６３の構成に応じて種々の変更が可能である。
【０１５４】
〔１４〕モータ変速段検出手段Ｋを、モータ斜板３２Ｂの操作角を検出する斜板角センサなどにより構成してもよい。
【０１５５】
〔１５〕表示手段６７における車速表示部６７Ａ、無段変速用の変速段表示部６７Ｂ、モータ変速段表示部６７Ｃ、有段変速用の変速段表示部６７Ｄ、及び、設定車速表示部６７Ｅの配置は種々の変更が可能である。例えば、車速表示部６７Ａを、液晶表示器６７における上段の左側部分に配置し、無段変速用の変速段表示部６７Ｂを、車速表示部６７Ａから離れるように液晶表示器６７における下段の右側部分に配置し、モータ変速段表示部６７Ｃを、車速表示部６７Ａと無段変速用の変速段表示部６７Ｂとの間に位置するように液晶表示器６７における中段下部の右側部分に配置し、有段変速用の変速段表示部６７Ｄを、液晶表示器６７における無段変速用の変速段表示部６７Ｂの右側に隣接配置し、設定車速表示部６７Ｅを、車速表示部６７Ａの下方に位置するように液晶表示器６７における中段上部の左側部分に配置するようにしてもよい。
【産業上の利用可能性】
【０１５６】
本発明に係る作業車の情報表示構造は、静油圧式やベルト式などの無段変速装置を備えたトラクタ、乗用草刈機、乗用田植機、コンバイン、ホイールローダなどの作業車に適用することができる。
【符号の説明】
【０１５７】
３        エンジン
９        無段変速装置（静油圧式無段変速装置）
１０      有段変速装置
２７Ｅ    表示制御手段
３２      可変容量モータ
６０      変速段検出手段
６３      回転数検出手段
６７      表示手段
６７Ａ    車速表示部
６７Ｂ    無段変速用の変速段表示部
６７Ｃ    モータ変速段表示部
６７Ｄ    有段変速用の変速段表示部
６７Ｅ    設定車速表示部
Ｄ        演算手段
Ｅ        操作具
Ｆ        変速操作検出手段
Ｇ        変速比設定手段
Ｈ        変速比検出手段
Ｉ        エンジン回転数設定手段
Ｊ        設定回転数検出手段
Ｋ        モータ変速段検出手段
【図１】
2011149495.tif 000003
【図２】
2011149495.tif 000004
【図３】
2011149495.tif 000005
【図４】
2011149495.tif 000006
【図５】
2011149495.tif 000007
【図６】
2011149495.tif 000008
【図７】
2011149495.tif 000009
【図８】
2011149495.tif 000010
【図９】
2011149495.tif 000011
【図１０】
2011149495.tif 000012
【図１１】
2011149495.tif 000013
【図１２】
2011149495.tif 000014
【図１３】
2011149495.tif 000015
【図１４】
2011149495.tif 000016
【図１５】
2011149495.tif 000017
【図１６】
2011149495.tif 000018